(57)【要約】【課題】一方のコンテンツ管理装置で管理されているコンテンツ、及びこのコンテンツのチャプター情報に基づき、上記コンテンツをチャプター再生することができるコンテンツ再生装置を提供することである。【解決手段】コンテンツ再生装置は、チャプター情報取得手段、出力手段、受付手段、送信手段、受信手段、及び再生手段を備える。チャプター情報取得手段は、ホームネットワークを介して、コンテンツのチャプター情報を取得する。出力手段は、前記チャプター情報に基づくチャプター操作ガイドを出力する。受付手段は、前記コンテンツに対応するチャプター再生指示を受け付ける。送信手段は、前記チャプター情報に基づき、前記チャプター再生指示で指定されたチャプターの先頭からのコンテンツデータ要求を送信する。受信手段は、前記指定されたチャプター先頭からのコンテンツデータを受信する。再生手段は、前記指定されたチャプター先頭からのコンテンツデータを再生する。【選択図】図１
2013051574.tif 000002
【特許請求の範囲】
【請求項１】
ホームネットワークを介して、コンテンツのチャプター情報を取得するチャプター情報取得手段と、
前記チャプター情報に基づくチャプター操作ガイドを出力する出力手段と、
前記チャプター操作ガイドを介して、前記コンテンツに対応するチャプター再生指示を受け付ける受付手段と、
前記ホームネットワークを介して、前記チャプター情報に基づき、前記チャプター再生指示で指定されたチャプターの先頭からのコンテンツデータ要求を送信する送信手段と、
前記ホームネットワークを介して、前記指定されたチャプターの先頭からのコンテンツデータを受信する受信手段と、
前記指定されたチャプターの先頭からのコンテンツデータを再生する再生手段と、
を備えたコンテンツ再生装置。
【請求項２】
前記再生手段は、前記指定されたチャプターの先頭からのコンテンツデータをストリーミング再生する請求項１記載のコンテンツ再生装置。
【請求項３】
前記チャプター情報取得手段は、前記ホームネットワークを介して、前記コンテンツの前記チャプター情報を管理するコンテンツ管理装置から、前記チャプター情報を取得し、
前記送信手段は、前記ホームネットワークを介して、前記コンテンツ管理装置に対して、前記チャプター情報に基づき、前記チャプター再生指示で指定されたチャプターの先頭からのコンテンツデータ要求を送信し、
前記受信手段は、前記ホームネットワークを介して、前記コンテンツ管理装置から、前記指定されたチャプターの先頭からのコンテンツデータを受信する請求項１又は２記載のコンテンツ再生装置。
【請求項４】
前記チャプター情報の編集を指示する編集指示手段を備え、
前記送信手段は、前記ホームネットワークを介して、前記コンテンツ管理装置に対して、前記チャプター情報の編集指示を送信する請求項１乃至３の何れか１項記載のコンテンツ再生装置。
【請求項５】
前記コンテンツのチャプター情報を管理するコンテンツ管理手段と、
ホームネットワークを介して、前記チャプター情報を提供するチャプター情報提供手段と、
前記ホームネットワークを介して、前記コンテンツの指定チャプター先頭からのコンテンツデータ要求を受信する受信手段と、
前記チャプター情報に基づき前記コンテンツの指定チャプター先頭からのコンテンツデータを読み出す読出手段と、
前記ホームネットワークを介して、前記コンテンツの指定チャプター先頭からのコンテンツデータを送信する送信手段と、
を備えたコンテンツ管理装置。
【請求項６】
前記チャプター情報提供手段は、前記ホームネットワークを介して、コンテンツ再生装置に対して、前記チャプター情報を提供し、
前記受信手段は、前記ホームネットワークを介して、前記コンテンツ再生装置から前記コンテンツの指定チャプター先頭からのコンテンツデータ要求を受信し、
前記送信手段は、前記ホームネットワークを介して、前記コンテンツ再生装置に対して、前記コンテンツの指定チャプター先頭からのコンテンツデータ要求に対応するコンテンツデータを送信する請求項５記載のコンテンツ管理装置。
【請求項７】
前記受信手段は、前記ホームネットワークを介して、前記コンテンツ再生装置から、前記チャプター情報の編集指示を受信し、
前記コンテンツ管理手段は、前記編集指示に基づき前記チャプター情報を編集する請求項５又は６記載のコンテンツ管理装置。
【請求項８】
ホームネットワークを介して、コンテンツのチャプター情報を取得し、
前記チャプター情報に基づくチャプター操作ガイドを出力し、
前記チャプター操作ガイドを介して、前記コンテンツに対応するチャプター再生指示を受け付け、
前記ホームネットワークを介して、前記チャプター情報に基づき、前記チャプター再生指示で指定されたチャプターの先頭からのコンテンツデータ要求を送信し、
前記ホームネットワークを介して、前記指定されたチャプターの先頭からのコンテンツデータを受信し、
前記指定されたチャプターの先頭からのコンテンツデータを再生するコンテンツ再生方法。
【請求項９】
ホームネットワークを介して、コンテンツのチャプター情報を提供し、
前記ホームネットワークを介して、前記コンテンツの指定チャプター先頭からのコンテンツデータ要求を受信し、
前記チャプター情報に基づき前記コンテンツの指定チャプター先頭からのコンテンツデータを読み出し、
前記ホームネットワークを介して、前記コンテンツの指定チャプター先頭からのコンテンツデータを送信するコンテンツ管理方法。
【発明の詳細な説明】
【技術分野】
【０００１】
本発明の実施形態は、コンテンツ再生装置、コンテンツ再生方法、コンテンツ管理装置、コンテンツ管理方法に関する。
【背景技術】
【０００２】
近年、放送番組等のコンテンツを受信し記録したり、また記録されたコンテンツを編集したりすることが可能な記録再生装置が多く普及している。例えば、記録再生装置は、ユーザーのチャプター編集操作等に対応して、コンテンツを複数のチャプターに分割して管理することができる。この場合、記録再生装置は、コンテンツに対応する複数のチャプターを管理するためのチャプター情報を生成し保持する。
【０００３】
ユーザーより、記録再生装置は、ユーザーからの第１のチャプターの再生指示に対応して、チャプター情報を参照し、コンテンツを構成する第１のチャプターの先頭から再生を開始し、ユーザーからの第２のチャプターの再生指示に対応して、チャプター情報を参照し、コンテンツを構成する第２のチャプターの先頭から再生を開始する。
【０００４】
また、近年では、上記チャプター情報を複数の記録再生装置で共有する技術も提案されている。例えば、一方の記録再生装置と他方の記録再生装置とが同じコンテンツを保持し、一方の記録再生装置がこのコンテンツに対応するチャプター情報を保持し、他方の記録再生装置がこのコンテンツに対応するチャプター情報を保持していないとする。
【０００５】
このようなケースにおいて、例えば、一方の記録再生装置が、公衆ネットワーク等を介して、サーバへチャプター情報を提供することにより、他方の記録再生装置は、公衆ネットワーク等を介して、上記サーバからチャプター情報を取得することができる。これにより、他方の記録再生装置が保持するコンテンツを、サーバから取得したチャプター情報に基づきチャプター再生することが可能となる。
【先行技術文献】
【特許文献】
【０００６】
【特許文献１】特開２００６−１７４４０２号公報
【発明の概要】
【発明が解決しようとする課題】
【０００７】
上記したように、互いに同じコンテンツを保持した記録再生装置の間で、チャプター情報を共有する技術は提案されている。
【０００８】
これに対応して、一方の記録再生装置（コンテンツ管理装置）がコンテンツ及びチャプター情報を保持し、他方の記録再生装置（コンテンツ再生装置）がコンテンツ及びチャプター情報を保持していない場合でも、他方の記録再生装置で上記コンテンツをチャプター再生する技術が要望されている。
【０００９】
本発明が解決しようとする課題は、一方のコンテンツ管理装置で管理されているコンテンツ、及びこのコンテンツのチャプター情報に基づき、上記コンテンツをチャプター再生することができるコンテンツ再生装置及びコンテンツ再生方法を提供することである。
【００１０】
また、本発明が解決しようとする課題は、コンテンツ、及びこのコンテンツのチャプター情報を保持しないコンテンツ再生装置による上記コンテンツのチャプター再生を可能にするためのコンテンツ管理装置及びコンテンツ管理方法を提供することである。
【課題を解決するための手段】
【００１１】
実施形態によれば、コンテンツ再生装置は、チャプター情報取得手段、出力手段、受付手段、送信手段、受信手段、及び再生手段を備える。チャプター情報取得手段は、ホームネットワークを介して、コンテンツのチャプター情報を取得する。出力手段は、前記チャプター情報に基づくチャプター操作ガイドを出力する。受付手段は、前記コンテンツに対応するチャプター再生指示を受け付ける。送信手段は、前記チャプター情報に基づき、前記チャプター再生指示で指定されたチャプターの先頭からのコンテンツデータ要求を送信する。受信手段は、指定されたチャプター先頭からのコンテンツデータを受信する。再生手段は、前記指定されたチャプター先頭からのコンテンツデータを再生する。
【図面の簡単な説明】
【００１２】
【図１】実施形態に係るコンテンツ処理システム（チャプタースキップ・チャプター編集システム）の一例を示す図である。
【図２】実施形態に係るチャプタースキップ再生の一例を示すフローチャートである。
【図３】実施形態に係るチャプター関連機能のサポート情報の一例を示す図である。
【図４】実施形態に係るベンダー独自UPnPアクションリクエストの一例を示す図である。
【図５】実施形態に係るベンダー独自UPnPアクションレスポンスの一例を示す図である。
【図６】実施形態に係るベンダー独自UPnPアクションリクエスト（編集リクエスト）の一例を示す図である。
【図７】実施形態に係るベンダー独自UPnPアクションレスポンス（編集レスポンス）の一例を示す図である。
【図８】実施形態に係るチャプタースキップ再生の一例を示す図である。
【発明を実施するための形態】
【００１３】
図１は、コンテンツ処理システム（チャプタースキップ・チャプター編集システム）の一例を示す図である。図１に示すように、コンテンツ処理システムは、例えば、再生装置１（コンテンツ再生装置）及び記録装置２（コンテンツ管理装置）を備え、再生装置１と記録装置２とは、ネットワーク（ホームネットワーク）３等で接続されている。なお、記録装置２は、再生装置１側からネットワークに接続された外部装置として認識され、再生装置１は、記録装置２側からネットワークに接続された外部装置として認識される。
【００１４】
なお、再生装置１は、少なくとも、ネットワークを介した通信機能、及び放送番組等のコンテンツを再生する再生機能を備え、さらに、アンテナを介してコンテンツを受信したり、ネットワークを介してコンテンツを受信したり、受信したコンテンツを記録したり、受信したコンテンツを編集したりする各種の機能を備えていてもよい。
【００１５】
また、記録装置２は、放送番組等のコンテンツを記録する記録機能を必須構成として備えている必要はなく、少なくとも、ネットワークを介した通信機能、及び外部記憶装置等に記憶されたコンテンツを管理する機能を備え、記録装置２は、外部記憶装置等に記憶されたコンテンツを読み出し、ネットワーク経由で外部機器（例えば上記再生装置１）へ読み出したコンテンツのデータを送信することができるものとする。勿論、記録装置２が、アンテナを介してコンテンツを受信したり、ネットワークを介してコンテンツを受信したり、受信したコンテンツを記録したり、受信したコンテンツを編集したりする各種の機能を備えていてもよい。
【００１６】
上記再生装置１は、例えばＴＶ等の視聴機器であり、また、上記記録装置２は、ハードディスクレコーダ等の録画機器である。或いは、上記再生装置１と上記記録装置２は、同じ構成であってもよい。
【００１７】
図１に示すように、再生装置１は、チューナー部１１、信号処理部１２、映像・音声出力部１３、ネットワークＩ／Ｆ部１４、制御部１５、入力部１７を備え、各部はバスで接続されている。制御部１５は、チャプター関連機能情報管理部１５１、チャプター情報取得部１５２、チャプター情報編集指示部１５３を備える。
【００１８】
例えば、ユーザーの操作に基づき、制御部１５は、アンテナなどから受信したデジタル放送番組をチューナー部１１で選局し、信号処理部１２、映像・音声出力部１３で適切に処理した後、スピーカー、表示装置で放送番組を再生する。
【００１９】
また、図１に示すように、記録装置２は、チューナー部２１、信号処理部２２、映像・音声出力部２３、ネットワークＩ／Ｆ部２４、制御部２５、ストレージ部２６、入力部２７を備え、各部はバスで接続されている。制御部２５は、チャプター関連機能情報管理部２５１、チャプター情報提供部２５２、チャプター情報編集部２５３を備える。
【００２０】
例えば、ユーザーの操作に基づき、制御部２５は、アンテナなどから受信したデジタル放送番組をチューナー部２１で選局し、信号処理部２２で処理した後、ストレージ部２６に記録する。
【００２１】
次に、再生装置１の機能的構成について説明する。再生装置１の制御部１５は、ＣＰＵ、ＲＯＭ、ＲＡＭ等により構成され、ＣＰＵがＲＯＭに記録されたプログラムをＲＡＭに展開して実行することにより、図１に示すように、チャプター関連機能情報管理部１５１、チャプター情報取得部１５２、及びチャプター情報編集指示部１５３として機能する。
【００２２】
また、同様に、記録装置２の制御部２５も、ＣＰＵ、ＲＯＭ、ＲＡＭ等により構成され、ＣＰＵがＲＯＭに記録されたプログラムをＲＡＭに展開して実行することにより、図１に示すように、チャプター関連機能情報提供部２５１、チャプター情報提供部２５２、チャプター情報編集部２５３として機能する。
【００２３】
図１に示したようなコンテンツ処理システムにおいて、例えば、再生装置１は、起動時にネットワーク３経由で、稼動している１以上の記録装置２をそれぞれUPnP（Universal  Plug  and  Play）コントロールポイント、UPnPデバイスの機能を組み込みことで、UPnPのDiscoveryのフェーズで発見する。
【００２４】
このフェーズにおいて、再生装置１は、記録装置２から、記録装置２の機器情報を取得する。例えば先のUPnPを実装した場合には、再生装置１は、機器情報や提供するサービス情報を列挙したDevice  Descriptionをダウンロードすることで、機器情報等を取得する。記録装置２のチャプター関連機能情報提供部２５２は、前記機器情報に少なくともチャプター情報提供可否情報、チャプター編集機能提供可否情報、チャプターのフォーマットのバージョンを含むチャプター関連機能のサポート情報を例えば図３に示すように記述することができる。
【００２５】
図３において、CHAPTER_CAP=C000の＝以降の１６進数列については最大１６種類のチャプターに関連する機能のサポート可否を１、０で表現したものであり、Bit15がチャプター情報提供可否、Bit14がチャプター編集機能提供可否を示している。また、CHAPTER_VER=1.00がチャプターのフォーマットのバージョンを示しており、チャプター情報の互換性に関する情報も含むことになる。なお、チャプター関連機能のサポート情報はこれ以外にも特定の独自UPnPアクションのサポート状況で取得することや、特定の独自UPnPアクションで直接取得することも考えられるが、これに限定するものではない。また、再生装置１の制御部１５内のチャプター関連機能情報管理部１５１は、前記機器情報に記載されたチャプター関連機能のサポート情報を記録装置２の情報と結び付けて管理する。
【００２６】
続けて、再生装置１が、ネットワーク３経由で、記録装置２のストレージ部２６（或いは記録装置２に接続された外部ストレージ部）に保存されたコンテンツ（記録番組）を再生する再生処理について説明する。例えば、ユーザーが、リモートコントローラ等を介して、記録装置２の記録コンテンツ一覧表示を指示すると、入力部１７は、この指示を制御部１５に入力する。再生装置１（ネットワークＩ／Ｆ部１４、制御部１５等）は、この指示に基づき、ネットワーク３経由で、記録装置２に対して、記録コンテンツ一覧を要求する。記録装置２（ネットワークＩ／Ｆ部２４、制御部２５等）は、前記指示に基づき、ネットワーク３経由で、記録コンテンツ一覧を返信する。再生装置１（ネットワークＩ／Ｆ部１４、制御部１５等）は、ネットワーク３経由で、記録コンテンツ一覧を受信し、映像・音声出力部１３が、記録コンテンツ一覧を表示装置等へ出力する。
【００２７】
ユーザーは、リモートコントローラ等を介して、表示装置等に出力された記録コンテンツ一覧の中から再生しようとする記録コンテンツを選択すると、入力部１７は、この記録コンテンツの選択を制御部１５に入力する。再生装置１（ネットワークＩ／Ｆ部１４、制御部１５、チャプター関連機能情報管理部１５１、チャプター情報取得部１５２等）は、この記録コンテンツの選択に基づき、記録装置２がチャプター情報提供可能か判定する。再生装置１が、記録装置２がチャプター情報提供可能と判定した場合に、再生装置１は、ネットワーク３経由で、記録装置２に対して、この記録コンテンツのチャプター情報取得リクエストを送信する。
【００２８】
前記送信手法としては、例えUPnPで定義されているベンダー独自のUPnPアクションを使うことが考えられる。図４にベンダー独自UPnPアクションリクエストの一例を示す。ここでリクエストについてはチャプター情報取得の対象となる記録コンテンツの特定のために各記録コンテンツに一意に割り当てられるObjectIDを使用している。また、図５に示すように、レスポンスは少なくとも各チャプターの順序、開始位置情報、ID情報を含み、チャプター情報はChapterListエレメントの値として記載され、先頭チャプターから順に配されることで各チャプターの順序を表し、開始位置情報はオフセットのバイトサイズとして記述され、チャプターIDは各Chapaterエレメントの値として記載されているが、書式はこれに限定するものではない。
【００２９】
記録装置２（ネットワークＩ／Ｆ部２４等）が、前記ベンダー独自UPnPアクションリクエストを正常に受信した場合には、記録装置２（チャプター情報提供部２５２）は、同アクションのレスポンスを作成し、再生装置１に対して、レスポンスを送信する。上記したように、前記レスポンスは、少なくとも各チャプターの順序、開始位置情報、ID情報を含む。図５は、ベンダー独自UPnPアクションレスポンスの一例を示す図である。
【００３０】
これにより、再生装置１（映像・音声出力部１３、ネットワークＩ／Ｆ部１４、制御部１５、チャプター情報取得部１５２等）は、上記レスポンスを取得することができ、取得したレスポンスに含まれるチャプター情報に基づき、記録装置２に保持された記録コンテンツに対してユーザーの指定したチャプターの開始位置からのコンテンツデータ要求をすることができ、記録装置２に保持された記録コンテンツをチャプター再生することができる。つまり、再生装置１は、ユーザーからの記録コンテンツに対応するチャプタースキップ指示（チャプター再生指示）を受け付け、現在の再生と番組データの読み込みを停止し、チャプター情報に記載されたスキップ先チャプターの開始位置情報から記録コンテンツのデータを読み込み、読み込んだデータの再生を開始する。これにより、チャプタースキップ指示に対応したチャプター再生を実現することができる。
【００３１】
上記について、図２を参照して、さらに詳しく説明する。図２は、チャプタースキップ再生の一例を示すフローチャートである。
【００３２】
上記説明したように、再生装置１（映像・音声出力部１３等）は、記録装置２に保持された記録コンテンツ一覧を表示装置等へ出力する。ユーザーは、リモートコントローラ等を介して、表示装置等に出力された記録コンテンツ一覧の中から再生しようとする記録コンテンツを選択することができる(ＳＴ１)。
【００３３】
再生装置１（ネットワークＩ／Ｆ部１４、制御部１５、チャプター関連機能情報管理部１５１、チャプター情報取得部１５２等）は、事前に入手したチャプター関連機能のサポート情報に基づき、選択された記録コンテンツのチャプター再生が可能かどうかを判定する(ＳＴ２)。
【００３４】
再生装置１（制御部１５等）が、チャプター再生を不可能と判定した場合には(ＳＴ２、ＮＯ)、再生装置１は、チャプター操作用のガイド表示を提示せず(ＳＴ３)、ユーザーからのチャプタースキップ操作を受け付けない。
【００３５】
再生装置１（制御部１５等）が、チャプター再生が可能と判定した場合には(ＳＴ２、ＹＥＳ)、再生装置１は、ネットワーク３経由で、記録装置２に対して、上記選択された記録コンテンツのチャプター情報を要求し、これに対応して、記録装置２は、ネットワーク３経由で、再生装置１からのチャプター情報の要求を受信する。さらに、記録装置２は、ネットワーク３経由で、再生装置１に対して、選択された記録コンテンツのチャプター情報を送信し、再生装置１は、ネットワーク３経由で、記録装置２からのチャプター情報を取得する(ＳＴ４)。
【００３６】
さらに、再生装置１（映像・音声出力部１３等）は、取得したチャプター情報に基づき、選択された記録コンテンツのチャプター操作用ガイドを表示装置等へ出力する(ＳＴ５)。チャプター操作用ガイドは、選択された記録コンテンツを構成する全チャプター（言い換えれば選択された記録コンテンツから生成された全チャプター）の中から指定されたチャプターを選択可能に構成されている。
【００３７】
ユーザーは、リモートコントローラ等を介して、表示装置等に出力されたチャプター操作用ガイドを介して、選択した記録コンテンツを構成する全チャプター（チャプター１〜ｎ）の中から１チャプター（例えば、図８に示すようにチャプター２）を選択し、チャプタースキップ（チャプター再生）を指示すると(ＳＴ６)、入力部１７は、選択チャプター情報（チャプター２、或いはチャプター２の先頭位置情報）を含むチャプタースキップ指示（チャプター再生指示）を受け付けて、チャプタースキップ指示を制御部１５に入力する。再生装置１（ネットワークＩ／Ｆ部１４、制御部１５等）は、ネットワーク３経由で、記録装置２に対して、チャプター２の先頭位置からのコンテンツデータ要求を送信する。
【００３８】
記録装置２（ネットワークＩ／Ｆ部２４、制御部２５等）は、ネットワーク３経由で、再生装置１からのチャプター２の先頭位置からのコンテンツデータ要求を受信し、同要求に対応する記録コンテンツのデータ（チャプター２の先頭からのコンテンツデータ）を読み出し、ネットワーク３経由で、再生装置１に対して、読み出したコンテンツデータを送信する。
【００３９】
再生装置１（ネットワークＩ／Ｆ部１４、信号処理部１２、映像・音声出力部１３、制御部１５等）は、ネットワーク３経由で、記録装置２により読み出されたコンテンツデータを受信し、受信したコンテンツデータ、すなわちチャプター２の先頭からコンテンツデータを再生する(ＳＴ７)。なお、上記コンテンツデータの再生前に、他のコンテンツを再生している場合には、再生装置１は、この他のコンテンツの再生を停止し、受信したコンテンツデータを再生（ストリーミング再生）する。
【００４０】
上記に加えて、再生装置１は、記録装置２により管理されているコンテンツを編集することもできる。再生装置１は、チャプター編集用の独自UPnPアクションを図６のように実装し、新規作成・削除に必要なデータを送受信できる。これにより、上記したチャプタースキップだけではなく、チャプター編集も可能となる。つまり、記録装置２により管理されているコンテンツに対応した新規チャプター情報を生成することもできるし、記録装置２により管理されているコンテンツに対応した既存のチャプター情報の内容を変更することもできる。
【００４１】
例えば、ユーザーは、リモートコントローラ等を介して、表示装置等に出力されたチャプター編集用ガイドを介して、選択した記録コンテンツのチャプター情報の編集（チャプターの追加、削除等）を指示すると、入力部１７は、この編集指示を受け付けて、この編集指示を制御部１５に入力する。再生装置１（ネットワークＩ／Ｆ部１４、制御部１５等）は、ネットワーク３経由で、記録装置２に対して、編集指示を送信する。図６は、ベンダー独自UPnPアクションリクエスト（編集リクエスト）の一例を示す図であり、図７は、ベンダー独自UPnPアクションレスポンス（編集レスポンス）の一例を示す図であり
記録装置２は、ネットワーク３経由で、再生装置１からの編集指示を受信し、編集指示に基づき、選択された記録コンテンツのチャプター情報を編集し、編集されたチャプター情報を管理する。
【００４２】
以上により、本実施形態によれば、再生装置１は、相手機器（記録装置２）の発見時にネットワーク経由でのチャプタースキップ・編集対応可否情報を取得し、かつ番組再生時にネットワーク経由でチャプター情報を取得、編集指示を出せる。これにより、再生装置１は、記録装置２により管理されたコンテンツをチャプタースキップ再生が可能となり、また、記録装置２により管理されたコンテンツに対するチャプター編集が可能となる。
【００４３】
以下、本実施形態についてまとめる。ホームネットワーク技術の進展に伴い、再生装置１は、ネットワーク経由で、記録装置２で記録した放送番組等のコンテンツを再生することができる。また、記録装置２が、このコンテンツを編集し、このコンテンツに対応したチャプター情報を保持することができる。さらに、記録装置２は、ネットワーク経由で、チャプター情報の提供が可能であることの情報を公開し、これに対応して、再生装置１は、ネットワーク経由で、チャプター情報を取得する。これにより、再生装置１は、チャプター情報に基づき、記録装置２で記録されたコンテンツをチャプタースキップ再生することができる。さらに、再生装置１は、記録装置２で記録されたコンテンツを編集することもできる。
【００４４】
なお、上記したモジュールとは、ハードウェアで実現するものであっても良いし、ＣＰＵ等を使ってソフトウェアで実現するものであってもよい。
【００４５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４６】
１…再生装置、１１…チューナー部、１２…信号処理部、１３…映像・音声出力部、１４…ネットワークＩ／Ｆ部、１５…制御部、１７…入力部、１５１…チャプター関連機能情報管理部、１５２…チャプター情報取得部、１５３…チャプター情報編集指示部、２…記録装置、２１…チューナー部、２２…信号処理部、２３…映像・音声出力部、２４…ネットワークＩ／Ｆ部、２５…制御部、２６…ストレージ部、２７…入力部、２５１…チャプター関連機能情報管理部、２５２…チャプター情報提供部、２５３…チャプター情報編集部２５３
【図１】
2013051574.tif 000003
【図２】
2013051574.tif 000004
【図３】
2013051574.tif 000005
【図４】
2013051574.tif 000006
【図５】
2013051574.tif 000007
【図６】
2013051574.tif 000008
【図７】
2013051574.tif 000009
【図８】
2013051574.tif 000010